(57)【要約】【課題】人間用及びペットとなる動物用等の毛髪の毛染めの施術のうち、部分毛染め具は、使い捨てである為より低コストで使用者に供給されることが望まれる。また、毛染めする部分及びデザイン上で毛染めを施術する面積は、各使用者により多様である。また毛染めの多様化に伴い様々なデザイン、図柄等に対応できる部分毛染め具が必要である。【解決手段】本発明は、上記の課題を解決する為に、毛染め剤または脱色剤等を含浸させるための吸液性シートと、表面に接着層を有する被覆材となる不透液性シートからなる第一のシートと、第一のシートと同じ構成からなるシート、もしくは不透液性シートのみからなる第二のシートで毛髪を挟み込む部分毛染め具を構成したものである。【選択図】図１
2005270549.tif 000002
【特許請求の範囲】
【請求項１】
毛染め剤または脱色剤等を含浸させるための吸液性シートと、表面に接着層を有する被覆材となる不透液性シートからなる第一のシートと、第一のシートと同じ構成からなるシート、もしくは不透液性シートのみからなる第二のシートで毛髪を挟み込むことを特徴とする部分毛染め具。
【請求項２】
該被覆材の不透液性シートの表面の接着層が、粘着剤または面ファスナーであること特徴とする請求項１記載の部分毛染め具。
【発明の詳細な説明】
【技術分野】
【０００１】
本発明は、人間及びペットとなる動物に施術される毛髪の毛染め（以下脱色も含む）のうち、毛髪全体を染めるのではなく、部分染めの施術を美理容室・ペットサロンおよび個人が自宅で簡単に施術できる毛髪用部分毛染め具に関するものである。
【背景技術】
【０００２】
現在、人間及びペットとなる動物に毛染めを施術することは広く知られている。毛を染める技術の中で人間の頭髪の一部分だけを染めるものがあるが、それはワンポイント違う色を染めて自然に見せたり個性的なおしゃれを楽しむ為のものである。また、ペットとなる動物の毛髪に施術する毛染めに関しては、例えば犬に関して言えば、頭部・耳部・脚部・尾部等を部分的に毛染めを施術することが広く知られており、個性的なおしゃれを楽しむ為のものである。
【０００３】
上記の従来の毛染めの施術の一例を示すと、人間及びペットとなる動物に施術する部分毛染めは、始めに部分染めをしようとする毛髪を櫛等で梳き分け、該毛髪を被覆材となるアルミ箔や紙等シート状の物の上に乗せて、毛染め剤（以下脱色剤も含む）を櫛・ブラシ等で該毛髪に塗布した後、該被覆材を二つ折りにするか包んで養生し、該被覆材をピン又は輪ゴムなどの係止部材で毛髪に取り付け毛染めを行っていた。
【０００４】
さらに、上記の従来の部分毛染めの施術をより簡易にきれいに行う公知技術として、被覆材として二つ折り可能な不透液性シートに毛染め剤を含浸させる為の吸液性シートを設け、該被覆材の端縁にレール状の開閉部材を設けて部分毛染めを行う方法（特許文献１）が知られている。
【０００５】
しかしながら、上記被覆材として二つ折り可能な不透液性シートに毛染め剤を含浸させる為の吸液性シートを設け、該被覆材の端縁にレール状の開閉部材を設けて部分毛染めを行う方法に使用される部分毛染め具は、被覆材・吸液性シート・レール状の開閉部材等から構成されるが、使い捨てである為より低コストで使用者に供給されることが望まれる。さらに上記部分毛染め具は、既製品であり人間用及びペットとなる動物用等、毛染めする部分及びデザイン上で毛染めを施術する面積は、各使用者により多様であり、様々な毛染め面積に対応する大きさの既製品を用意しなければならない問題がある。
【０００６】
また、上記の毛染めの施術は、デザインが毛髪に沿った縦方向中心の施術であるが、別の部分毛染めの施術の公知技術として、模様・文字・図柄を型抜きしたマスキングシートを使用して毛染め剤を塗布し、毛髪に該模様・文字・図柄を得る方法（特許文献２）が知られている。
【０００７】
上記型抜きしたマスキングシートを使用した模様・文字・図柄を得られる毛染めの施術は、毛染め剤が毛髪と毛髪の隙間や毛髪とマスキングシートの隙間に入り込み該模様・文字・図柄が滲んでしまう不具合が有る。
【特許文献１】特開平１０−１１７８３６号公報
【特許文献２】特開２００２−１１２８２７号公報
【発明の開示】
【発明が解決しようとする課題】
【０００８】
本発明は、部品点数が少なく低コストであり、軽量で部分毛染めの施術性がすこぶる良い部分毛染め具を提供することを目的とするものである。
【０００９】
また、毛染めする部分及びデザイン上各使用者により多様となる毛染め面積に対応でき、また様々なデザイン、図柄等を毛染めすることができる部分毛染め具を提供することを目的とするものである。
【課題を解決するための手段】
【００１０】
本発明は、毛染め剤または脱色剤等を含浸させるための吸液性シートと、表面に接着層を有する被覆材となる不透液性シートからなる第一のシートと、第一のシートと同じ構成からなるシート、もしくは不透液性シートのみからなる第二のシートで毛髪を挟み込むことを特徴とする部分毛染め具に関する。
【００１１】
また、該被覆材の不透液性シートの表面の接着層が、粘着剤または面ファスナーであること特徴とする請求項１記載の部分毛染め具に関する。
【発明の効果】
【００１２】
本発明は、上記形態で構成された部分毛染め具であるから
（１） 部品点数が少なく、生産が容易でさらに低コストで部分毛染め具を提供することができる。
（２）軽量で施術性がすこぶる良い部分毛染め具を提供することができる。
（３）毛染めを施術する際に、毛染めしたくない毛髪に毛染め剤が付着することが無く、また例えばペットとなる動物に毛染めを施術する場合、施術時に毛染め剤を舐めてしまったりすることが無くなる。
（４）吸液性シートを任意の模様・文字・図柄で形成する事ができ、該形状を毛染め剤が滲むことなく毛髪に転写して様々な模様・文字・図柄を得られる毛染めの施術を行うことができる。
（５）毛染め剤を含浸させるための吸液性シートと接着層を有した被覆材の不透液性シートを別体で一組にした商品形態としても利用できることから、使用者が毛染め部分の面積に合わせて、該吸液性シートおよび該被覆材の不透液性シートを、任意の大きさに加工して第一のシート及び第二のシートを形成することができ、様々な面積の部分毛染めの施術に対応できる。
（６）毛染め剤を含浸させるための吸液性シートと接着層を有した被覆材の不透液性シートを別体で一組にした商品形態としても利用できることから、使用者が吸液性シート及び不浸透性シートを任意の形状に加工して第一のシート及び第二のシートを形成することができ、該形状を毛染め剤が滲むことなくを毛髪に転写して様々な模様・文字・図柄を得られる毛染めの施術を行うことができる。
（７）毛染め剤を含浸させるための吸液性シートと接着層を有した被覆材の不透液性シートを別体で一組にした商品形態としても利用できることから、該吸液性シートおよび該被覆材の不透液性シートを、任意に大きさに加工して第一のシート及び第二のシートを形成することができ、使用者が該吸液性シートに任意の模様・文字・図柄等を、少なくとも一色以上の毛染め剤で描いて、該描写を毛染め剤が滲むことなく毛髪に転写して様々な模様・文字・図柄を得られる毛染めの施術を行うことができる。
【発明を実施するための最良の形態】
【００１３】
本発明の部分毛染め具の実施形態を図により説明する。図１は、該部分毛染め具の第一のシート及び第二のシートの概略斜視図の一例である。また図２は、該部分毛染め具の第一のシート及び第二のシートの横断面図の一例である。不透液性シート２で被覆材を形成し、その片側表面に接着層１を設ける。接着層１の上に毛染め剤を含浸させるための吸液性シート３を設ける構成である。
【００１４】
被覆材の不透液性シート２の素材は、例えばアルミ箔又は合成樹脂の素材である。
【００１５】
吸液性シート３の素材は、例えば繊維フェルト材、不織布、布帛物、紙、スポンジ等の素材である。
【００１６】
接着層１は、例えば粘着剤又は面ファスナーで形成される。
【００１７】
吸液性シート３の毛髪に接する側の表面は、平らでも良いが、毛染め剤の含浸性や毛髪への塗布性を高める為に凹凸や波型等の表面形状を有しても良い。
【００１８】
接着層１が粘着剤で形成される場合、例えば不透液性シート２の表面に直接粘着剤を塗布して形成してもよいが、両面テープ等で形成しても良い。
【００１９】
該粘着剤の粘着力は、第一のシートと第二のシートで毛髪を挟み込んで毛染めの施術した後、毛染め終了後取り外すことを考慮し、剥がし易い程度の粘着力が好ましい。
【００２０】
接着層１が粘着剤で形成される場合、第一のシートと第二のシートで毛髪を挟み込んで毛染めの施術した後、毛染め終了後取り外すことを考慮し、剥がし易い様に例えば不透液性シート２の角部又は端面部を一部粘着層側に折り返すなどの様な、剥がし口となる部分を設けても良い。
【００２１】
接着層１が面ファスナーで形成される場合、該面ファスナーの不透液性シート２への取り付けは、例えば接着、熱融着又は縫合等挙げられる。該面ファスナーに吸液性シート２を取り付ける場合、吸液性シート２に該面ファスナーへの取り付けの為の、例えば粘着層を設ける必要がある。
【００２２】
図３は、図１及び図２で示される構成のシートを使用して、毛染めを施術する一例である。まず該部分毛染め具の第一のシート６の吸液性シート４及び第二のシート７の吸液性シートに毛染め剤を含浸させる。毛染めを施術する毛髪８を櫛、ブラシ等で梳きとり、その毛髪８を第一のシート６の吸液性シート４及び第二のシート７の吸液性シート部分で挟み込み、第一のシート６の接着層５及び第二のシート７の接着層で第一のシート６及び第二のシート７を密着させ固定する。該毛染め剤が毛髪を毛染め処理した後、密着させ固定した第一のシート６及び第二のシート７を剥がして取り外す。第一のシート６及び第二のシート７を外した後、毛染め剤の付着した毛髪を水で洗い流して終了となる。
【００２３】
上記の毛染めを施術する一例では、第二のシート７は第一のシートと同じ構成の吸液性シートを有した物で説明しているが、第一のシートの接着層５が粘着剤の場合、第二のシート７は、例えば不透液性シートのみの構成でも密着させ固定できるため使用可能である。また、第二のシート７が不透液性シートのみの場合、不透液性シートは内部の毛髪の処理具合が視認できる透明性の有るシートが望ましい。
【００２４】
該部分毛染め具は上記構成で形成されることから、図１の毛染め剤を含浸させるための吸液性シート３と接着層１を有した被覆材の不透液性シート２を別体で一組にした商品形態としても利用できる。この場合、まず使用者が毛染め部分の面積に合わせて、吸液性シート３および被覆材の不透液性シート２を任意の大きさに、ハサミまたはカッターナイフ等で加工する。任意の大きさに加工した後、図１のような形態に組み付けて使用することができ、様々な面積の部分毛染めの施術に対応できる。このとき吸液性シート３と接着層１を有した被覆材となる不透液性シート２は、使用者が容易に加工できる素材が好ましい。
【００２５】
図４は、別の毛染めを施術する場合の上記部分毛染め具の一実施例の概略斜視図である。該部分毛染め具は上記構成で形成されることから、あらかじめ吸液性シート９の様に任意の模様・文字・図柄で形成し、該形状を毛髪に転写して様々な模様・文字・図柄を得られる部分毛染め具とすることができる。また、毛染め剤を含浸させるための吸液性シートと接着層１を有した被覆材の不透液性シート２を別体で一組にした商品形態として利用した場合は、例えば図４で言えば、まず使用者が任意の形状にハサミまたはカッターナイフ等で吸液性シート９を加工する。加工した吸液性シート９を図４の様に不透液性シート２の上に組み付けて使用し、使用者が該形状を毛髪に転写して様々な模様・文字・図柄を得られる毛染めの施術を行うことができる。
【００２６】
さらに図５は、一枚以上の吸液性シートを使用して模様・文字・図柄を形成し、該形状を毛髪に転写して様々な模様・文字・図柄を得られる毛染めの施術をする場合の上記部分毛染め具の一実施例の概略斜視図である。吸液性シート１０，１１，１２を図５のように配して、それぞれの吸液性シートに毛染め剤を含浸させることによって、該形状を毛髪に転写して様々な模様・文字・図柄を得られる部分毛染め具とすることができる。またこの場合においても上記同様吸液性シートと接着層１を有した被覆材の不透液性シート２を別体で一組にした商品形態として利用した場合は、使用者が吸液性シート及び不透液性シートを任意の形状に加工する形態を取ることができる。
【００２７】
図６は、さらに別の毛染めを施術する場合の上記部分毛染め具の一実施例の概略斜視図である。毛染め剤を含浸させるための吸液性シート３と接着層１を有した被覆材の不透液性シート２を別体で一組にした商品形態として利用した場合、まず使用者が毛染め部分の面積に合わせて、吸液性シート３および被覆材の不透液性シート２を任意の大きさに、ハサミまたはカッターナイフ等で加工する。加工した吸液性シート３を図６の様に不透液性シート２の上に組み付けた後、使用者が吸液性シート３に例えば図６のような任意の模様・文字・図柄等を毛染め剤１３及び色違いの毛染め剤１４で描いて、使用者が該描写を毛髪に転写して様々な模様・文字・図柄を得られる毛染めの施術を行うことができる。図６では、二色の毛染め剤を使用した例を示しているが、毛染め剤は少なくとも一色以上何色でも使用できる。
【実施例】
【００２８】
本発明のサンプルとして、以下のように部分毛染め具の第一のシートと第二のシートを作成した。不透液性シートとして厚み約０．５ｍｍの塩化ビニル製のシートを使用し、不透液性シートの片側表面の接着層は株式会社ニトムズ製の「両面テープ貼り直し自在１５×４」品番Ｔ３４１０を使用して形成した。該両面テープは、ポリエチレンフォームフィルムの両側に粘着層を有するもので、片側に強力粘着剤、もう片側に貼り直しができる粘着剤を使用している。該両面テープの強力粘着剤の面を不透液性シートの片側一面に貼り付け、貼り直しができる粘着剤を使用している面で第一のシートと第二のシートを密着させ毛髪に固定できるようにした。
【００２９】
吸液性シートは、ポリエステルのフェルト材を使用した。該フェルト材は３．３デシテックス×５１ｍｍの繊維長の繊維で形成され、密度約０．１ｇ／ｃｍ3，目付け約４２０ｇ／ｍ2、シートの厚み約４．２ｍｍである。
【００３０】
上記の粘着層を有した不透液性シートを、ハサミで６ｃｍ×９ｃｍに切り取り、また上記の吸液性シートを、ハサミで２ｃｍ×２ｃｍに切り取り、該不透液性シートの粘着面中央部に該吸液性シートを取り付けた。上記のようにして作成されるシートを二枚用意し、本発明の部分毛染め具の第一のシート及び第二のシートとした。
【００３１】
上記の部分毛染め具を使用し、毛染め剤は二液式のホーユー株式会社製「ビューティラボ  ヘアカラー  ナチュラルブラウン」を使用して毛染めを人間の頭髪に施術した。上記毛染め剤を添付の取扱説明書に従い二液を容器に入れ混合した後、第一のシート及び第二のシートのそれぞれの吸液性シートに注射器で取り出した混合液約１ｍｌを表面一面に塗布し含浸させた。毛染めを施術する毛髪を櫛で梳きとり、その毛髪を第一のシート及び第二のシートの該吸液性シートで挟み込み、該被覆材の不透液性シートの粘着層で第一のシート及び第二のシートを密着させ毛髪に取り付けた。該毛染め剤が毛髪を毛染め処理する時間約３０分放置した後、毛髪に取り付けた第一のシート及び第二のシートを剥がして取り外し、毛染め剤の付着した毛髪を水で洗い流して部分毛染めを施術した。
【００３２】
上記のように部分毛染め具を使用した毛染めの施術を行った結果、上記吸液性シートの形状を転写した毛髪の部分毛染めが得られた。
【産業上の利用可能性】
【００３３】
本発明は、人間及びペットとなる動物に施術される毛髪の毛染めのうち、毛髪全体を染めるのではなく、部分染めの施術を美理容室・ペットサロンおよび個人が自宅で簡単に施術することに適している。
【図面の簡単な説明】
【００３４】
【図１】本発明の部分毛染め具の第一のシート及び第二のシートの一実施例の概略斜視図。
【図２】本発明の部分毛染め具の第一のシート及び第二のシートの一実施例の横断面図。
【図３】本発明の部分毛染め具で毛染めを施術する一実施例。
【図４】本発明の部分毛染め具で別の毛染めを施術する場合の一実施例の概略斜視図。
【図５】一枚以上の吸液性シートを使用して毛染めを施術する場合の一実施例の概略斜視図。
【図６】本発明の部分毛染め具で別の毛染めを施術する場合の一実施例の概略斜視図。
【符号の説明】
【００３５】
１    接着層
２    不透液性シート
３    吸液性シート
４    第一のシートの吸液性シート
５    第一のシートの接着層
６    第一のシート
７    第二のシート
８    毛髪
９    任意の形状を転写する場合の吸液性シートの一実施例
１０    任意の形状を転写する場合の吸液性シートの一実施例
１１    任意の形状を転写する場合の吸液性シートの一実施例
１２    任意の形状を転写する場合の吸液性シートの一実施例
１３    毛染め剤
１４    別の色の毛染め剤
【図１】
2005270549.tif 000003
【図２】
2005270549.tif 000004
【図３】
2005270549.tif 000005
【図４】
2005270549.tif 000006
【図５】
2005270549.tif 000007
【図６】
2005270549.tif 000008